(57)【要約】【課題】  子供等が釦部を不用意に押して係止部に対する爪部の係合を解除し、可動体や引戸が誤って開状態に切り換えられるような虞を確実に無くする。【解決手段】  第１部材２に第２部材４を係脱する場合に用いられ、第１部材２側の係止部２ｄに対応した爪部２４及び操作用釦部２３を有したラッチ部材２０と、第２部材４に取り付けられてラッチ部材２０を係止部２ｄに対する爪部２４の係合位置及び係合解除位置に切換可能に支持しているケース３０とを備え、爪部２４が係合位置から付勢力に抗した釦部２３の押操作により係合解除位置に切り換えられるラッチ装置１０である。工夫点は、ケース３０のうち、釦部挿入用の開口を縁取っているフランジ部３２に沿って摺動可能に組み込まれ、所定方向への摺動操作により釦部２３の動きを規制して爪部２４の係合位置から係合解除位置への切り換えを阻止する。【選択図】        図５
2005220578.tif 000002
【特許請求の範囲】
【請求項１】
第１部材に第２部材を係脱する場合に用いられ、前記第１部材側の係止部に対応した爪部及び操作用釦部を有したラッチ部材と、前記第２部材に取り付けられて前記ラッチ部材を前記係止部に対する爪部の係合位置及び係合解除位置に切換可能に支持しているケースとを備え、前記爪部が前記係合位置から付勢力に抗した前記釦部の押操作により係合解除位置に切り換えられるラッチ装置において、
前記ケースのうち、挿入用の開口を縁取っているフランジ部に沿って摺動可能に組み込まれ、所定方向への摺動操作により前記釦部の動きを規制して前記爪部の係合位置から係合解除位置への切り換えを阻止する安全ロック部材を有していることを特徴とするラッチ装置。
【請求項２】
前記安全ロック部材は、前記釦部の長手方向片側に配置される操作部と、前記操作部に連結されて前記フランジ部の一方側より他方側に向けて配置される片部と、前記片部に突設された２以上の凸形の当接部とを有し、前記操作部を介した摺動操作により、前記各当接部が前記釦部側に設けられた対応する逃部から被当接部側にそれぞれ移行されて前記釦部の動きを複数箇所で規制することを特徴とする請求項１に記載のラッチ装置。
【請求項３】
前記片部は、前記フランジ部との間に設けられたガイド手段を介し摺動されると共に、前記ケース側開口の両側付近と対応した箇所に前記当接部をそれぞれ形成していることを特徴とする請求項２に記載のラッチ装置。
【請求項４】
前記操作部が前記釦部とほぼ同じ幅及び高さに形成されている請求項２又は３に記載のラッチ装置。
【請求項５】
前記第２部材は前記第１部材に対しヒンジ部を介し回動されるか、引戸等のように摺動される可動体である請求項１から４の何れかに記載のラッチ装置。
【発明の詳細な説明】
【技術分野】
【０００１】
本発明は、第１部材に第２部材を係脱する場合に用いられるラッチ装置のうち、特にラッチ部材が第１部材の係止部に係脱する爪部と共に操作用釦部を有し、該釦部を付勢力に抗して押操作することにより第１部材の係止部に対し爪部を係合位置から係合解除位置に切り換えるラッチ装置に関するものである。
【背景技術】
【０００２】
図８はシステムキッチンに採用されている引出部を示している。該引出部２は、凹状の大空間２ａを形成しキッチン本体１の収納空間１ａに引出可能に格納されている点、前側に包丁等の小物を収納する小空間２ｂを形成している点、該小空間２ｂが下側ヒンジ部５ａを支点として回動される前面板である可動体５にて開閉される点、可動体５が上水平部５ｂを有し該上水平部５ｂにラッチ装置６を装着している点、前側にあって可動板５の上方に指を差し込んでラッチ装置６を操作する空洞部２ｃを形成している点を特徴としている。ここで、ラッチ装置６は、爪部７ａ及び操作用釦部７ｂを有したラッチ部材７と、ラッチ部材７をピンや軸８ａを介して回動可能に支持しているケース８と、ラッチ部材７を逆時計回り方向へ付勢している板ばね９とを備え、上水平部５ｂの対応取付穴に対しケース８を介して装着されている。この装着状態において、ラッチ部材７は、仮想線で示すごとく爪部７ａが小空間２ｂ内に設けられた係止部２ｄに係合し該係合位置により可動体５を閉状態に保持している。可動体５は、釦部７ｂが板ばね９の付勢力に抗して押操作されると、爪部７ａが実線で示すごとく係止部２ｄに対し係合解除位置に切り換えられてヒンジ部５ａを支点として回動可能となる。
【０００３】
図９は特許文献１に開示されている引戸用引手を示している。符号１はラッチ装置を装着した引戸、符号２は引戸戸当り、符号３は引戸戸当りに設けられた開口、符号５は保管庫ケース枠、符号６はケース枠戸当りである。このラッチ装置は、爪部２７及び軸２２等を介し取り付けられた操作用釦部３０を有したラッチ部材（鎌状ラッチ）２０と、ラッチ部材２０をピン４０を介して回動可能に支持しているケース（引手本体）１０と、ラッチ部材２０を係合方向へ付勢している不図示のスプリングとを備え、引戸１の対応取付穴に対しケース１０を介して装着されている。この装着状態において、ラッチ部材２０は、実線で示すごとく爪部２７が保管庫ケース枠５に設けられた係止孔７に係合し該係合位置により引戸１を保管庫ケース枠５に連結している。引戸１は、釦部３０が付勢力に抗して押操作されると、爪部２７が仮想線で示すごとく係止孔７に対して係合解除位置に切り換えられて単独で開方向へ摺動可能となる。
【０００４】
【特許文献１】特開平９−３２３８０号公報（図４と図５）
【発明の開示】
【発明が解決しようとする課題】
【０００５】
上記した各ラッチ装置は、釦部の付勢力に抗した押操作により係止部（係止孔等）に対する爪部の係合を解除し、該解除状態にて可動体や引戸を開方向へ切換可能にする構成である。構造は、専用の鍵操作により係合解除するロック機構に比べて簡易であり部材数も少なく、色々な用途に使用されている。ところが、用途によっては、例えば、図８や図９の場合、子供等が釦部を不用意に押して係止部に対する爪部の係合を解除し、その結果、可動体や引戸が誤って開状態に切り換えられるような虞を無くしたいこともある。この対策としては、板ばね等の付勢力を増大して、釦部を過大な力で押さない限り係合解除されないようにすることが考えられる。しかし、その場合は、通常使用時での使い勝手が損なわれるだけではなく、確実性にも欠ける。そこで、本発明の目的は、以上のような課題を簡易かつ確実に解消することにより安全性に優れ、品質向上と用途拡大を図ることにある。
【課題を解決するための手段】
【０００６】
上記した目的を達成するため本発明は、第１部材に第２部材を係脱する場合に用いられ、前記第１部材側の係止部に対応した爪部及び操作用釦部を有したラッチ部材と、前記第２部材に取り付けられて前記ラッチ部材を前記係止部に対する爪部の係合位置及び係合解除位置に切換可能に支持しているケースとを備え、前記爪部が前記係合位置から付勢力に抗した前記釦部の押操作により係合解除位置に切り換えられるラッチ装置において、前記ケースのうち、挿入用の開口を縁取っているフランジ部に沿って摺動可能に組み込まれ、所定方向への摺動操作により前記釦部の動きを規制して前記爪部の係合位置から係合解除位置への切り換えを阻止する安全ロック部材を有していることを特徴としている。
【０００７】
以上のラッチ装置は、必要に応じ安全ロック部材を決められた方向へ摺動操作すると、釦部の動きが規制され、ラッチ部材の爪部を係合位置から係合解除位置へ切換不能にできる。これにより、この構造では、子供等が不用意に第２部材（可動体や引戸等）を開状態に切り換えるという虞を解消できる。安全ロック部材は、ケースのフランジ部に摺動可能に組み込まれてラッチ装置にユニット化されているため、第２部材への取付性等を複雑化することなく、取扱性や外観性を維持し易い。
【０００８】
以上の本発明は次のように具体化されることがより好ましい。
・前記安全ロック部材は、前記釦部の長手方向片側に配置される操作部と、前記操作部に連結されて前記フランジ部の一方側より他方側に向けて配置される片部と、前記片部に突設された２以上の凸形の当接部とを有し、前記操作部を介した摺動操作により、前記各当接部が前記釦部側に設けられた対応する逃部から被当接部側にそれぞれ移行されて前記釦部の動きを複数箇所で規制する構成である（請求項２）。
・前記片部は、前記フランジ部との間に設けられたガイド手段を介し摺動されると共に、前記ケース側開口の両側付近と対応した箇所に前記当接部をそれぞれ形成している構成である（請求項３）。
・前記釦部と操作部とがほぼ同じ高さ及び幅に形成されている構成である（請求項４）。
・前記第２部材は前記第１部材に対しヒンジ部を介し回動されるか、引戸等のように摺動される可動体からなる構成である（請求項５）。
【発明の効果】
【０００９】
本発明のラッチ装置は次のような利点を具備できる。
・請求項１の発明では、安全ロック部材により釦部の動きを規制しておくと、課題に挙げたように、子供等が不用意に釦部を押し第１部材の係止部に対するラッチ部材の爪部の係合を解除して、例えば、可動体や引戸等を開状態に切り換えるという虞を解消できる。このため、本発明品は、安全ロック部材を組み込んだ安全ロック機能付きラッチ装置して提供され、子供等に対する安全性に優れ、品質向上と用途拡大に寄与できる。
・請求項２の発明では、例えば、操作部を釦部の片側に配置することで安全ロック部材の存在を分かり難く処理したり、釦部の動きを２以上の当接部と対応する被当接部との係合関係で規制して安全ロック部材の規制作動を確実に得られるようにする。
・請求項３の発明では、ガイド手段により安全ロック部材の摺動特性を良好にしたり、釦部が比較的長くなるような形状でも安全ロック部材の規制作動を確実に得られるようにする。
・請求項４の発明では、前記操作部が前記釦部とほぼ幅及び高さに形成されているため、釦部と操作部とを区別し難くし、それにより子供等が誤って安全ロック部材を操作するという虞を解消できるようにする。
・請求項５の発明は、第２部材が第１部材に対しヒンジ部を介し回動される可動体に限られず、引戸等のように摺動される可動体を含むことを確認的に特定したものである。
【発明を実施するための最良の形態】
【００１０】
本発明の最良な形態を図面の実施例を参照しながら説明する。図１は発明を適用したラッチ装置を使用状態で示している。図２はラッチ装置の外観図を示し、（ａ）は安全ロック部材の非作動位置、（ｂ）は安全ロック部材の作動位置である。図３はラッチ装置の主部材を分解して示す概略構成図である。図４はラッチ装置の細部を示し、（ａ）は正面図、（ｂ）は背面図、（ｃ）は側面図である。図５は図４（ｃ）のＡ−Ａ線断面図であり、（ａ）は安全ロック装置の非作動位置、（ｂ）は安全ロック装置の作動位置を示している。図６はラッチ部材単品を示し、（ａ）は上面図、（ｂ）は正面図、（ｃ）は下面図、（ｄ）は左側面図、（ｅ）は（ｂ）のＢ−Ｂ線断面図である。図７は安全ロック部材単品を示し、（ａ）は上面図、（ｂ）は正面図、（ｃ）は下面図、（ｄ）は右側面図、（ｅ）は左側面図である。以下の説明では、全体の概要を述べた後、実施例により細部構成を明らかにする。
【００１１】
（概要）図１は本発明のラッチ装置１０の使用例として、システムキッチンに採用されている引出部２を示している。該引出部２は、上開口した凹状の大空間２ａを形成しキッチン本体１の収納空間１ａに引出可能に格納されている点、前側に包丁等の小物を収納する小空間２ｂを形成している点、該小空間２ｂが下側ヒンジ部５ａを支点として回動される前面板である可動体５にて開閉される点、可動体５が上水平部５ｂを有し該上水平部５ｂにラッチ装置１０を装着している点、前側にあって可動板５の上方に設けられた空洞部２ｃに指を差し込んでラッチ装置１０を操作する点を特徴としている。
【００１２】
また、ラッチ装置１０は、爪部２４及び操作用釦部２３を有したラッチ部材２０と、ラッチ部材２０を爪部２４の係合位置及び係合解除位置に切換可能に支持しているケース３０と、ケース３０のうち、ケース入口側つまり挿入用開口３５を縁取っているフランジ部３２に沿って摺動可能に組み込まれている安全ロック部材４０と、ラッチ部材２０を係合位置方向へ付勢している付勢部材５０とを備え、可動体５の上水平部５ｂに対しケース３０を介して装着されている。該装着状態において、ラッチ部材２０は、実線で示すごとく爪部２４が小空間２ｂ内に設けられた係止部２ｄに係合し該係合位置により可動体５を閉状態に係止している。可動体５は、釦部２３が付勢部材５０の付勢力に抗して押操作されると、爪部２４が破線で示すごとく係止部２ｄに対し係合解除位置に切り換えられてヒンジ部５ａを支点として回動可能となる。また、安全ロック部材４０は、図２（ｂ）に示されるようにケース３０のフランジ部３２に沿って所定方向へ摺動操作されることにより、釦部２３の動き（押し下げ量や回動量）を規制して爪部２４の係合位置から係合解除位置への切り換えを阻止し、それにより可動体５が不用意に回動されて開状態にならないようにする。
【実施例】
【００１３】
（構成部材）以上のラッチ装置１０の細部は以下の通りである。主部材であるラッチ部材２０、ケース３０、安全ロック部材４０は共に樹脂成形品であるが、樹脂以外でも差し支えない。付勢部材５０はスプリングであるが、板ばね等により構成することも可能である。
【００１４】
ここで、ケース３０は、図３に示すように、内空洞を形成している本体３１及び該本体３１の上開口を縁取っている鍔状フランジ部３２からなり、ラッチ部材２０を爪部２４の係合位置と係合解除位置とに切換可能に支持したり、可動体５側へ取付可能になっている。本体３１は前後壁３３，３４と両側壁とで内空洞を区画している。前壁３３は大きく開口３３ａされている。後壁３４は、上下方向に設けられた溝部３５と、該溝部３５の両側に設けられて上下方向に延びるリブ３５ａと、各リブ３５ａの両側に設けられた係合穴３６ａと、各係合穴３６ａの両側に設けられた小窓３６と、本体３１の内底面両側に設けられたバネ受け部３３ｂ（図５参照）とを有している。フランジ部３２は、左右に大きく突出している両側部３２ａ，３２ｂと、前後へ突出している前後部３２ｃ，３２ｄとからなる。両側部３２ａ，３２ｂの下面には取付部３７がそれぞれ設けられている。各取付部３７は、ケース３０を図１に示される可動体５の上水平部５ｂに装着する際にボルト等と共に利用される。側部３２ａは側部３２ｂより短くなっていて、上面にガイド部３８ａを左右方向に突設している。側部３２ｂには、上面にガイド部３８ｂ及びストッパー用立壁３８ｃが設けられている。立壁３８ｃの背面には凸部３８ｅが設けられている。ガイド部３８ａ，３８ｂは左右略直線上に位置し、側面視でそれぞれ略逆Ｌ形又はカギ形に形成されている。なお、両ガイド部３８ａ，３８ｂの一方は、逆Ｌ形又はカギ形でなく起立片等として形成してもよい。前部３２ｃ上には、長手方向又は左右方向に延びるガイドリブ３９が設けられている。該ガイドリブ３９は側部３２ｂ側へ延びている。
【００１５】
ラッチ部材２０は、図３と図６に示されるように、側面視で概略Ｌ状をなし、起立片２１及び該起立片２１の前面下側に突設した水平片２２からなり、起立片２１の上端に設けられた釦部２３と、水平片２２の先端側に設けられた爪部２４とを有している。起立片２１は、水平片２２より幅寸法が大きく、上端に釦部２３を一体に形成している。釦部２３は、起立片２１の頂部に連結された状態で起立片２１より左右に長く、かつ、起立片２１より後側を張り出している。すなわち、釦部２３は、図６（ａ）から推察されるように、起立片２１に対し両側部２３ａ，２３ｂと後側部分２３ｄとを張り出しており、これら上張出部分がケース３０のフランジ部３２上に配置される。側部２３ａは、側部２３ｂより長く設定され、下面にあって一端側に設けられた凹状逃部２５ａ及び該逃部２５ａより内側に設けられた凸状の被当接部２５ｂを有している。側部２３ｂは、上面に設けられた略半円状の凹部２３ｃと、下面にあって起立片２１側の凹状逃部２６ａ及び該逃部２６ａよりも他端側に設けられた凸状の被当接部２６ｂとを有している。
【００１６】
起立片２１の背面は、両側が欠肉された段差に形成され、該段差に軸２７を下向きに突設していると共に、上下方向に突設されている細いリブ２８と、該リブ２８の両側に設けられた溝部２８ａと、各溝部２８ａより両側付近に設けられた小突起２９とを有している。
【００１７】
安全ロック部材４０は、図３と図７に示されるように、片側の操作部４１と、操作部４１に連結した細長い片部４２と、片部４２の内側にあって先端側と操作部４１側に位置し、かつ互いに略平行となっている舌状の板部４３及び４４と、各板部４３及び板部４４上に高く突出された当接部４５及び４６とを一体に形成し、これらがケース３０のフランジ部３２の上に摺動可能に配置される。なお、符号４４ａは板部４４と操作部４１との間を連結している薄い片部であり、符号４４ｂは貫通穴である。操作部４１は、ラッチ装置１０の組立状態で釦部２３とほぼ同じ高さ及び前後幅に設定され、上面に設けられた側部２３ｂの凹部２３ｃと同様な略半円状の凹部４１ａと、下面側に設けられて前記ガイド部３８ｂと嵌合する溝部４８ｂ及び前記立壁３８ｃと嵌合する凹部４９とを有している。また、凹部４９の内面には、前記ケース側立壁３８ｃの凸部３８ｅに弾性的に係合する凹部４９ｃが設けられている。片部４２の下面には、前記ガイドリブ３９と嵌合する長溝４７が板部４３及び４４まで延びた状態で設けられている。該長溝４７は、ガイドリブ３９の長さ寸法に対し安全ロック部材４０の左右摺動量だけ長く形成されている。板部４３の下面には、ガイド部３８ａと嵌合する溝部４８ａが設けられている。なお、溝部４８ａ，４８ｂの形状は、前記したようにガイド部３８ａ，３８ｂの一方を起立片等として形成した場合、対応溝部もそれに対応じた形状に変更される。
【００１８】
（組立）以上の各部材の組立例を説明する。組立作業では、図３と図４から推察されるように、例えば、ケース３０に対し安全ロック部材４０を配置した後、ラッチ部材２０を組み付け、最後に付勢部材５０を組み込むようにする。すなわち、安全ロック部材４０は、ケース３０のフランジ部３２（両側部３２ａ，３２ｂ、前部３２ｃ）に載せて、板部４３の溝部４８ａをガイド部３８ａに、板部４４の溝部４８ｂをガイド部３８ｂに、長溝４７をガイドリブ３９にそれぞれ合わせた状態から図２（ｂ）の紙面左側から右側へ摺動される。すると、安全ロック部材４０は、各部の嵌合を伴って立壁３８ｃが凹部４１ａの外側の内面に当たるまで同方向へ摺動可能となる。
【００１９】
次に、ラッチ部材２０は、爪部２４付きの水平片２２をケース本体３１の上開口より内空洞、更に前壁３３の開口３３ａより外へ突出させる。その際、リブ２８がケース本体３１の溝部３５と嵌合され、各溝部２８ａがケース本体３１のリブ３５ａと嵌合される。また、ラッチ部材２０は、各小突起２９を対応する係合穴３６ａに押し込めることにより、起立片２１がケース内空洞部に対し抜け止めされる。そして、付勢部材５０であるコイルバネは、ケース背面側の小窓３６から挿入され、一端側が起立片背面側の対応する軸２７に係止され、他端側がバネ受け部３３ｂに係止される。これにより、ラッチ部材２０がケース本体３１に対し付勢部材５０の付勢力で上移動され、これにより爪部２４を係合位置にした態様で本発明のラッチ装置１０として組み立てられる。
【００２０】
（作動）以上のラッチ装置１０は、図２（ａ）示されるにように、通常態様においてラッチ部材２０の釦部２３と安全ロック部材４０の操作部４１とは接近した状態であり、ラッチ部材２０が付勢部材５０の付勢力により上移動され、爪部２４が図１の実線で示す係合位置にある。また、使用者は図１の空洞部２ｃから複数本の指を差し込んで釦部２３を押し操作すると、ラッチ部材２０が付勢部材５０の付勢力に抗して下移動され、爪部２４が図１の破線で示す係合解除位置に切り換えられる。すなわち、可動体５は、閉から開状態に切り換えるとき、釦部２３を押しながらヒンジ部５を支点として図１の矢印方向である開方向へ回動操作される。なお、釦部２３が空洞部２ｃ等に配置される場合は、釦部が従来の様に回動操作される構成だと、回動する上で押す方向が分かり難くなるが、釦部を単純に押し下げたり横向きに押す構成にすることで使い勝手を向上できる。
【００２１】
また、この構造では、ラッチ部材２０の爪部２４が係合位置（爪部２４が引出部２等に設けられる係止部２ｄに係合している）にあるとき、安全ロック部材４０を作動位置、つまり操作部４１を指等にて図２の矢印方向つまり外側へ押して、釦部２３の押し操作を規制することで、爪部２４を係合解除位置に切換不能にすることができる。図２（ｂ）と図５（ｂ）はその状態、つまり安全ロック部材４０の作動位置を示している。この場合は、安全ロック部材４０が操作部４１（の凹部４１ａ）を介して釦部２３から離れる方向へ摺動されると、当接部４５が釦部２３の下面に設けられた逃部２５ａから被当接部２５ｂの真下に位置し、当接部４６が釦部２３の下面に設けられた逃部２６ａから被当接部２６ｂの真下に位置する。このため、釦部２３は、被当接部２５ｂが当接部４５に当たり、被当接部２６ｂが当接部４６に当たって押し下げ量が規制される。ラッチ装置１０は、この規制により爪部２４が係合位置から非係合位置に切り換えられないようロックし、可動体５が不用意に開状態に切り換えられないようにする。この安全ロック部材４０を再び非作動位置にする場合は、操作部４１を釦部２３側に押操作により全体を摺動させて接近させ、当接部４５を被当接部２５ｂから逃部２５ａに移行させ、同時に当接部４６を被当接部２６ｂから逃部２６ａに移行させる。
【００２２】
（その他）本発明のラッチ装置１０は、図９に示されるような引戸に適用したり、各種コンソールのリッド等に適用したり、更に上記したような引出部２又はそれに類似する部材をキッチン本体１又はそれに類似する本体部材に対し係脱する場合にも同様に適用可能なものである。また、部材構造も実施例に制約されず種々変更可能なものである。一例としては、例えば、ラッチ部材２０の釦部を図９に示されるような別部材にて構成したり、ケース３０の取付構造を可動体５側の形態に応じて任意に設定することである。
【図面の簡単な説明】
【００２３】
【図１】本発明を適用したラッチ装置を使用状態で示す模式断面図である。
【図２】上記ラッチ装置を安全ロック部材との関係で示す模式外観図である。
【図３】上記ラッチ装置を分解した概略構成図である。
【図４】上記ラッチ装置の細部構成を示す図である。
【図５】上記ラッチ装置を異なる状態で示す断面図である。
【図６】上記ラッチ装置のラッチ部材単品を示す図である。
【図７】上記ラッチ装置の安全ロック部材単品を示す図である。
【図８】ラッチ装置の従来例を示す説明図である。
【図９】ラッチ装置の他の従来例を示す説明図である。
【符号の説明】
【００２４】
１…キッチン本体
２…引出部（第１部材に相当し、２ｂは小空間、２ｄは係止部）
５…可動体（第２部材に相当）
１０…ラッチ装置
２０…ラッチ部材（２３は釦部、２４は爪部）
２５ａ，２６ａ…逃部
２５ｂ，２６ｂ…被当接部
３０…ケース（３１は本体、３２はフランジ部）
３８ａ，３８ｂ…ガイド部（ガイド手段）
３９…ガイドリブ（ガイド手段）
４０…安全ロック部材（４１は操作部、４２は片部、４３，４４は板部）
４５，４６…当接部
４７…長溝（ガイド手段）
４８ａ，４８ｂ…溝部（ガイド手段）
５０…付勢部材
【図１】
2005220578.tif 000003
【図２】
2005220578.tif 000004
【図３】
2005220578.tif 000005
【図４】
2005220578.tif 000006
【図５】
2005220578.tif 000007
【図６】
2005220578.tif 000008
【図７】
2005220578.tif 000009
【図８】
2005220578.tif 000010
【図９】
2005220578.tif 000011